(57)【要約】      （修正有）【課題】外部の記憶装置へ鮮明画像を無線伝送する撮像装置を提供する。【解決手段】鮮明画像を無線伝送する撮像装置は、中央処理ユニット１と、中央処理ユニット１と電気的に接続された撮像ユニット２と、中央処理ユニット１と電気的に接続された画像記憶ユニット３と、中央処理ユニット１と電気的に接続された鮮明画像検出ユニット４と、中央処理ユニット１と電気的に接続され、鮮明画像検出ユニット４と組み合わせて鮮明画像を無線伝送する無線伝送ユニット５とを備える。鮮明画像検出ユニット４は、鮮明画像検出チップ又は鮮明画像検出回路基板である。無線伝送ユニット５は、ＷｉＦｉ（登録商標）、Ｂｌｕｅｔｏｏｔｈ（登録商標）、無線周波送信機、第３世代送信機又は第４世代送信機である。中央処理ユニット１は、中央処理回路基板である。中央処理回路基板は、中央処理装置を有する。【選択図】図１
0003199324.tif 000002
【実用新案登録請求の範囲】
【請求項１】
中央処理ユニットと、
前記中央処理ユニットと電気的に接続された撮像ユニットと、
前記中央処理ユニットと電気的に接続された画像記憶ユニットと、
前記中央処理ユニットと電気的に接続された鮮明画像検出ユニットと、
前記中央処理ユニットと電気的に接続され、前記鮮明画像検出ユニットと組み合わせて鮮明画像を無線伝送する無線伝送ユニットと、を備えることを特徴とする、鮮明画像を無線伝送する撮像装置。
【請求項２】
前記鮮明画像検出ユニットは、鮮明画像検出チップ、鮮明画像検出回路基板又は鮮明画像検出ソフトウェアであることを特徴とする、請求項１に記載の鮮明画像を無線伝送する撮像装置。
【請求項３】
前記無線伝送ユニットは、ＷｉＦｉ（登録商標）、Ｂｌｕｅｔｏｏｔｈ（登録商標）、無線周波送信機、第３世代送信機又は第４世代送信機であることを特徴とする、請求項１に記載の鮮明画像を無線伝送する撮像装置。
【請求項４】
前記中央処理ユニットは、中央処理回路基板であり、
前記中央処理回路基板は、中央処理装置を有することを特徴とする、請求項１に記載の鮮明画像を無線伝送する撮像装置。
【請求項５】
前記撮像ユニットは、ＣＣＤ又はＣＭＯＳであることを特徴とする、請求項１に記載の鮮明画像を無線伝送する撮像装置。
【請求項６】
前記画像記憶ユニットは、内部メモリを有するか、或いは内部メモリ及び外部メモリを有することを特徴とする、請求項１に記載の鮮明画像を無線伝送する撮像装置。
【請求項７】
表示ユニット及び電源供給ユニットをさらに備えるか、或いは前記表示ユニット、前記電源供給ユニット及びグローバル・ポジショニング・ユニットをさらに備えることを特徴とする、請求項１に記載の鮮明画像を無線伝送する撮像装置。
【考案の詳細な説明】
【技術分野】
【０００１】
本考案は、鮮明画像を無線伝送する撮像装置に関し、特に、外部の記憶装置へ鮮明画像を無線伝送する撮像装置に関する。
【背景技術】
【０００２】
今日、人々の生活は質が向上し、例えば、スマートフォン、デジタルカメラ、ドライブレコーダ、生活記憶装置などの撮像装置をほとんどの人は保有している。しかし、従来の撮像装置では、キャプチャした画像全てを外部の記憶装置へ無線伝送する際、全ての画像を伝送することはできたが、外部の記憶装置に記憶した画像はあまり鮮明でなかった。
【０００３】
そのため、鮮明画像を無線伝送して外部の記憶装置に記憶する技術が求められていた。
【考案の概要】
【考案が解決しようとする課題】
【０００４】
本考案の目的は、鮮明画像を外部の記憶装置へ無線伝送する、鮮明画像を無線伝送する撮像装置を提供することにある。
【課題を解決するための手段】
【０００５】
上記課題を解決するために、本考案の第１の形態によれば、中央処理ユニットと、前記中央処理ユニットと電気的に接続された撮像ユニットと、前記中央処理ユニットと電気的に接続された画像記憶ユニットと、前記中央処理ユニットと電気的に接続された鮮明画像検出ユニットと、前記中央処理ユニットと電気的に接続され、前記鮮明画像検出ユニットと組み合わせて鮮明画像を無線伝送する無線伝送ユニットと、を備えることを特徴とする、鮮明画像を無線伝送する撮像装置が提供される。
【０００６】
前記鮮明画像検出ユニットは、鮮明画像検出チップ、鮮明画像検出回路基板又は鮮明画像検出ソフトウェアであることが好ましい。
【０００７】
前記無線伝送ユニットは、ＷｉＦｉ（登録商標）、Ｂｌｕｅｔｏｏｔｈ（登録商標）、無線周波送信機、第３世代送信機又は第４世代送信機であることが好ましい。
【０００８】
前記中央処理ユニットは、中央処理回路基板であり、前記中央処理回路基板は、中央処理装置を有することが好ましい。
【０００９】
前記撮像ユニットは、ＣＣＤ又はＣＭＯＳであることが好ましい。
【００１０】
前記画像記憶ユニットは、内部メモリを有するか、或いは内部メモリ及び外部メモリを有することが好ましい。
【００１１】
表示ユニット及び電源供給ユニットをさらに備えるか、或いは前記表示ユニット、前記電源供給ユニット及びグローバル・ポジショニング・ユニットをさらに備えることが好ましい。
【考案の効果】
【００１２】
本考案の鮮明画像を無線伝送する撮像装置は、外部の記憶装置へ鮮明画像を無線伝送することができる。
【図面の簡単な説明】
【００１３】
【図１】図１は、本考案の一実施形態に係る鮮明画像を無線伝送する撮像装置を示すブロック図である。
【考案を実施するための形態】
【００１４】
以下、本考案の実施形態について図に基づいて説明する。なお、これによって本考案が限定されるものではない。
【００１５】
図１を参照する。図１に示すように、本考案の一実施形態に係る鮮明画像を無線伝送する撮像装置は、スマートフォン、デジタルカメラ、ドライブレコーダ、生活記憶装置などでもよく、中央処理ユニット１、撮像ユニット２、画像記憶ユニット３、鮮明画像検出ユニット４及び無線伝送ユニット５を含む。撮像ユニット２は、中央処理ユニット１と電気的に接続される。撮像ユニット２は、キャプチャした画像を電子画像データへ変換した後、電子画像データを中央処理ユニット１へ送信して後続処理を行う。画像記憶ユニット３は、中央処理ユニット１と電気的に接続される。中央処理ユニット１は、電子画像データを画像記憶ユニット３へ送信して記憶するか、画像記憶ユニット３から電子画像データを受信して後続処理を行う。鮮明画像検出ユニット４は、中央処理ユニット１と電気的に接続され、無線伝送ユニット５は、中央処理ユニット１と電気的に接続されるため、鮮明画像検出ユニット４及び無線伝送ユニット５は、中央処理ユニット１を介して組み合わされる。画像記憶ユニット３に記憶した電子画像データを一括して外部の記憶装置（例えば、クラウドストレージ）へ無線伝送すると、電子画像データが中央処理ユニット１へ送信されてから、中央処理ユニット１は、鮮明画像検出ユニット４により検出した電子画像データが鮮明画像か否かを判断する。もし画像が鮮明でない場合、電子画像データは外部の記憶装置へ無線伝送されず、もし画像が鮮明な場合、電子画像データは、中央処理ユニット１及び無線伝送ユニット５を介して外部の記憶装置へ無線伝送され、同じ道理により、撮像ユニット２がキャプチャした画像を電子画像データへ変換した後、外部の記憶装置（例えば、クラウドストレージ）へ無線伝送すると、電子画像データが中央処理ユニット１へ伝送された後、中央処理ユニット１は、鮮明画像検出ユニット４により電子画像データが鮮明画像であるか否かを判断し、画像が鮮明でない場合、電子画像データは外部の記憶装置へ無線伝送されることはなく、画像記憶ユニット３への記憶のみが行われる。もし画像が鮮明な場合、電子画像データは、中央処理ユニット１及び無線伝送ユニット５を介して外部の記憶装置へ無線伝送され、画像記憶ユニット３に記憶される。
【００１６】
鮮明画像検出ユニット４により電子画像データが鮮明画像であるか否かを判断する方式は多数あり、例えば、鮮明画像検出ユニット４は、中央処理ユニット１が検出した画像全体の鮮明度を検出する。もし鮮明度の最小値又は総和が所定の基準値以上である場合、電子画像データが鮮明であると判断し、もし全ての鮮明度の最小値又は総和が所定の基準値以下である場合、電子画像データは鮮明でないと判断する。また、検出にかかる時間を短縮するために、鮮明画像検出ユニット４は、中央処理ユニット１が検出した画像の一部の領域の鮮明度を検出し、一部の領域全ての鮮明度の最小値又は総和が所定の基準値以上である場合、電子画像データは鮮明であると判断し、一部の領域全ての鮮明度の最小値又は総和が所定の基準値以下である場合、電子画像データは鮮明でないと判断する。
【００１７】
上述したように、本考案は、鮮明画像を無線伝送する撮像装置を利用し、画像記憶ユニット３内に記憶した全ての鮮明画像は、ユーザが整理せずに一括して外部の記憶装置へ無線伝送し、撮像ユニット２がキャプチャした鮮明画像を電子画像データへ変換すると、ユーザは整理せずにリアルタイムで外部の記憶装置へ無線伝送する。また、電子画像データを一括して無線伝送するかリアルタイムで無線伝送するときは、中央処理ユニット１と電気的に接続された選択スイッチ（図示せず）を用いて選択してもよい。
【００１８】
図１を参照する。図１に示すように、本考案の一実施形態に係る鮮明画像を無線伝送する撮像装置の鮮明画像検出ユニット４は、電子画像データが鮮明画像であるか否かを検出する、鮮明画像検出チップ、鮮明画像検出回路基板又は鮮明画像検出ソフトウェアでもよい。
【００１９】
図１を参照する。図１に示すように、本考案一実施形態に係る鮮明画像を無線伝送する撮像装置の無線伝送ユニット５は、ＷｉＦｉ（Ｗｉｒｅｌｅｓｓ  Ｆｉｄｅｌｉｔｙ）（登録商標）、Ｂｌｕｅｔｏｏｔｈ（登録商標）、無線周波（Ｒａｄｉｏ  Ｆｒｅｑｕｅｎｃｙ：ＲＦ）送信機、第３世代（Ｔｈｉｒｄ  Ｇｅｎｅｒａｔｉｏｎ：３Ｇ）送信機又は第４世代（Ｆｏｕｒｔｈ  Ｇｅｎｅｒａｔｉｏｎ：４Ｇ）送信機でもよく、中央処理ユニット１及び鮮明画像検出ユニット４により鮮明な電子画像データを外部の記憶装置へ無線伝送する。
【００２０】
図１を参照する。図１に示すように、本考案の一実施形態に係る鮮明画像を無線伝送する撮像装置の中央処理ユニット１は、中央処理装置を有する中央処理回路基板であり、電子画像データの処理を行う。
【００２１】
図１を参照する。図１に示すように、本考案の一実施形態に係る鮮明画像を無線伝送する撮像装置において、撮像ユニット２は、画像をキャプチャして画像を電子画像データへ変換するＣＣＤ（Ｃｈａｒｇｅ−Ｃｏｕｐｌｅｄ  Ｄｅｖｉｃｅ）又はＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）でもよい。
【００２２】
図１を参照する。図１に示すように、本考案の一実施形態に係る鮮明画像を無線伝送する撮像装置において、画像記憶ユニット３は、内部メモリ３１を有するか、或いは内部メモリ３１及び外部メモリ３２を有し、電子画像データを記憶する。外部メモリ３２は、メモリカード又はフラッシュメモリドライブでもよい。
【００２３】
図１を再び参照する。図１に示すように、本考案の一実施形態に係る鮮明画像を無線伝送する撮像装置は、表示ユニット６及び電源供給ユニット７をさらに備えるか、或いは表示ユニット６、電源供給ユニット７及びグローバル・ポジショニング・ユニット８をさらに備える。表示ユニット６は、液晶表示装置又は発光ダイオード表示装置であり、画像記憶ユニット３に記憶した画像又は撮像ユニット２がキャプチャした画像の表示を行う。電源供給ユニット７は、上述した全ての電子機器に給電する、二次電池又は商用電源と電気的に接続されたプラグ受け及び電線である。グローバル・ポジショニング・ユニット８は、撮像装置の位置を測定するか、撮像したときの位置を記憶したり取得したりするグローバル・ポジショニング・システムでもよい。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  中央処理ユニット
２  撮像ユニット
３  画像記憶ユニット
４  鮮明画像検出ユニット
５  無線伝送ユニット
６  表示ユニット
７  電源供給ユニット
８  グローバル・ポジショニング・ユニット
３１  内部メモリ
３２  外部メモリ
【図１】
0003199324.tif 000003
【手続補正書】
【提出日】平成27年6月15日(2015.6.15)
【手続補正１】
【補正対象書類名】実用新案登録請求の範囲
【補正対象項目名】全文
【補正方法】変更
【補正の内容】
【実用新案登録請求の範囲】
【請求項１】
中央処理ユニットと、
前記中央処理ユニットと電気的に接続された撮像ユニットと、
前記中央処理ユニットと電気的に接続された画像記憶ユニットと、
前記中央処理ユニットと電気的に接続された、鮮明画像検出チップ又は鮮明画像検出回路基板である鮮明画像検出ユニットと、
前記中央処理ユニットと電気的に接続され、前記鮮明画像検出ユニットと組み合わせて鮮明画像を無線伝送する無線伝送ユニットと、を備えることを特徴とする、鮮明画像を無線伝送する撮像装置。
【請求項２】
前記鮮明画像検出ユニットは、鮮明画像検出チップであることを特徴とする、請求項１に記載の鮮明画像を無線伝送する撮像装置。
【請求項３】
前記無線伝送ユニットは、ＷｉＦｉ（登録商標）、Ｂｌｕｅｔｏｏｔｈ（登録商標）、無線周波送信機、第３世代送信機又は第４世代送信機であることを特徴とする、請求項１に記載の鮮明画像を無線伝送する撮像装置。
【請求項４】
前記中央処理ユニットは、中央処理回路基板であり、
前記中央処理回路基板は、中央処理装置を有することを特徴とする、請求項１に記載の鮮明画像を無線伝送する撮像装置。
【請求項５】
前記撮像ユニットは、ＣＣＤ又はＣＭＯＳであることを特徴とする、請求項１に記載の鮮明画像を無線伝送する撮像装置。
【請求項６】
前記画像記憶ユニットは、内部メモリを有するか、或いは内部メモリ及び外部メモリを有することを特徴とする、請求項１に記載の鮮明画像を無線伝送する撮像装置。
【請求項７】
表示ユニット及び電源供給ユニットをさらに備えるか、或いは前記表示ユニット、前記電源供給ユニット及びグローバル・ポジショニング・ユニットをさらに備えることを特徴とする、請求項１に記載の鮮明画像を無線伝送する撮像装置。